(57)【要約】【課題】候補者名の提示に印刷物を用いて候補者名を同一面上に表示することにより、候補者名の一覧性を確保して投票の公平性を保つ電子投票装置を提供する。【解決手段】高解像度を有する印刷物１０１による候補者名提示を行い、印刷物１０１上に設けられたタッチパネル１０２にて印刷物１０１の座標データを取得する構成とすることで、候補者名の一覧性を確保して投票の公平性を保つようにするとともに、印刷物１０１に１対１で対応するの座標データをメモリカード１０３より供給することで、印刷物１０１とそれに対応する座標データの照合を迅速、かつ確実にできるようにする。【選択図】      図１
2004213225.tif 000002
【特許請求の範囲】
【請求項１】
選挙候補者名を印刷物により提示し電子的に投票を受け付ける電子投票装置であって、
前記選挙候補者名が一覧表示された印刷物を固定保持する手段と、
前記固定保持された印刷物上の前記選挙候補者名表示に対応する座標を入力する座標入力手段と、
前記入力された座標のデータを記憶する記憶手段と
前記座標入力手段による入力情報に基づき、対応する前記候補者名を確認表示させるための表示手段と、
を少なくとも有していることを特徴とする電子投票装置。
【請求項２】
前記請求項１に記載の電子投票装置において、
前記座標のデータを電磁気的または光学的に読み取り可能な情報として前記印刷物に付帯させ、
前記印刷物に付帯させた座標のデータを読み取る読み取り手段を更に有することを特徴とする電子投票装置。
【発明の詳細な説明】
【０００１】
【発明の属する技術分野】
本発明は、電子的に投票を行うための電子投票装置に関する。
【０００２】
【従来の技術】
近年の情報技術（ＩＴ：Ｉｎｆｏｒｍａｔｉｏｎ  Ｔｅｃｈｎｏｌｏｇｙ）の進展に伴い、電子的に投票を行うために、液晶表示パネルに候補者名を表示してタッチパネル等の液晶表示パネルに連動する座標入力装置を指やスタイラスペンで押圧して候補者名を選択した後、その結果を記録媒体に記録し集計する電子投票装置に関する発明が提案されている（例えば、特許文献１参照。）。
【０００３】
また、液晶表示パネルに候補者名を表示してタッチパネル等の液晶表示パネルに連動する座標入力装置を指やスタイラスペンで押圧して候補者名を選択し、その結果を印刷させ、印刷させた投票用紙を投票者が目視確認した後、設置されている投票箱に投票するといった従来の自書投票方式と電子投票との折衷した投票方式に関する発明が提案されている（例えば、特許文献２参照。）。
【０００４】
【特許文献１】
特開平６−２８３８２号公報（第２図）
【０００５】
【特許文献２】
特開平６−３５９３９号公報（第１図）
【０００６】
【発明が解決しようとする課題】
ところで、これら提案は候補者名の表示についていずれも、液晶表示パネルである電子的な表示装置が用いられ、候補者名の選択についてはタッチパネル等の電子的な表示装置に連動する座標入力装置が用いられ構成されている。電子的な表示装置の情報提示能力には限界があり、候補者が多人数である場合、同一画面上に全ての候補者名を同時に表示することができず、投票の公平性が損なわれるという問題があった。
また、電子的な表示装置の大型化を図るには、表示装置の大きさや重量が増大する、消費電力が大きくなる、また低コスト化が困難である、などの問題があった。
【０００７】
本発明は、以上の点に鑑みなされたもので、電子的に投票を受け付ける電子投票装置において、候補者名の提示に印刷物を用いて候補者名を同一面上に表示することにより、候補者名の一覧性を確保して投票の公平性を保ち、且つ重量の軽減化、低消費電力化、低コスト化が可能である電子投票装置を提供する。
また、候補者名の提示を行う印刷物上に同時に候補者名の座標のデータを付帯させ読み取ることで、座標のデータの供給は一元化され、印刷物と座標のデータとの不一致などの障害を回避でき、座標のデータ供給に用いる記録手段を不要とすることができる電子投票装置を提供する。
【０００８】
【課題を解決するための手段】
本発明は、上記課題を解決するために、以下の１）及び２）記載の手段よりなる。
すなわち、
１）選挙候補者名を印刷物により提示し電子的に投票を受け付ける電子投票装置であって、
前記選挙候補者名が一覧表示された印刷物を固定保持する手段と、
前記固定保持された印刷物上の前記選挙候補者名表示に対応する座標を入力する座標入力手段と、
前記入力された座標のデータを記憶する記憶手段と
前記座標入力手段による入力情報に基づき、対応する前記候補者名を確認表示させるための表示手段と、
を少なくとも有していることを特徴とする電子投票装置。
２）前記１）に記載の電子投票装置において、
前記座標のデータを電磁気的または光学的に読み取り可能な情報として前記印刷物に付帯させ、
前記印刷物に付帯させた座標のデータを読み取る読み取り手段を更に有することを特徴とする電子投票装置。
【０００９】
【発明の実施の形態】
以下、本発明の電子投票装置の発明の実施の形態につき、好ましい実施例により説明する。
図１は本実施例に適用される電子投票装置の外観を示す斜視図の一例である。電子投票装置１００は、投票所に配置され、選挙人に選挙に立候補した候補者名を提示し、選挙人が投票しようとする候補者名を選択して投票を電子的に受け付ける電子投票装置である。この電子投票装置１００には、印刷物１０１が挿入されており選挙の名称、および複数の候補者名や政党名が提示されている。印刷物１０１の上部にはタッチパネル１０２が設けられ、選挙人は、投票しようとする候補者名の提示部分を指やスタイラスペンで押圧して選択する（以降、選択するという）ことができる。すなわち、タッチパネル１０２は座標データを取得する手段として使用され、要求される分解能は後述する印刷物１０１上の有意な区分の識別を満足するものであればよく、安価なアナログ抵抗膜を用いている。液晶表示装置１０４は、選挙人が選択した候補者名の確認表示や、後述する各種のメッセージの表示を行う。
【００１０】
電子投票装置１００の動作は、図示しないメモリカード等の記録媒体に記録された電子投票装置制御プログラムにより行われる。投票結果の記録は、前述した従来方法のいずれを用いてもよい。また、電子投票装置制御プログラムを格納したメモリカードと、印刷物１０１の候補者名の座標のデータを記憶しているメモリカード１０３とを共用する構成としてもよい。
【００１１】
図２は、選挙名および複数の候補者名や政党名が記載された印刷物１０１の例である。普及型の液晶パネルの表示能力は概ね解像度１００ｄｐｉ以下であり、画素数１０２４×７６８ドット（ＸＧＡ）や１２８０×１０２４ドット（ＳＸＧＡ）が主流である。これに対して、印刷物１０１は３００ｄｐｉ以上の解像力を有するため、Ａ４サイズでも３５００×２３００ドット相当の表示が可能である。従って単純に、印刷物１０１は上述の電子的な表示手段に対して６〜１０倍の情報量の表示が可能であり、電子的な表示手段に対して格段に多くの情報量を表示することで、候補者名の表示の一覧性を発揮できるようにしている。
【００１２】
図３は、候補者名や政党名が印刷物１０１上で占める座標の区分を示したものである。同図における暗色の部分が有意な区分であり、この座標データは、図１のメモリカード１０３に記憶され、電子投票装置１００に供給され、タッチパネル１０２が取得する座標データに対応している。
【００１３】
図４はメモリカード１０３に記憶される、印刷物１０１上での座標のデータ構造の一例を示したものである。このデータ構造は、候補者名または政党名、および前記候補者名または政党名の印刷物１０１上での座標である。電子投票装置１００では、選挙人のタッチパネル１０２操作による候補者名選択を前記座標データの参照によって特定するようにしている。
【００１４】
図５は、液晶表示装置１０４に表示する確認画面の一例を示したものである。ここで表示する内容は、電子投票装置１００がタッチパネル１０２により認識した候補者名等と、選挙人が選んだ候補者名等とを選挙人が確認するための数行のメッセージである。従って、液晶表示装置１０４は、大型、高解像度の表示装置を用いる必要はなく、小型、低解像度の表示デバイスでよい。選挙人が確認後の意思決定の入力手段は、図示しない専用のボタンを電子投票装置１００に具備するか、または前記タッチパネル１０２に図示しない「はい」、「いいえ」、「○」「×」、「やり直し」などの固定領域を設けることによって実現している。
【００１５】
第２の実施例として図６に、図７で示す印刷物６０１のＩＤであるバーコード７０１を読み取るためのバーコードリーダ６０５を電子投票装置６００に具備した例を示す。印刷物６０１とタッチパネル６０２上の座標データとの照合は、実際の選択動作において候補者名等を選択し、その際に確認画面として表示される内容を見て確認することができる。この実施例のように、電子投票装置６００に印刷物６０１のＩＤであるバーコード７０１を読み取る機能を備えることによって、印刷物６０１とタッチパネル６０２上の座標データとの照合が迅速、かつ確実に行うことが可能となり、人為的ミス等による障害を早期に発見し円滑な選挙運営を行うことができる。
【００１６】
図７に印刷物６０１のＩＤであるバーコード７０１の印刷例を示す。候補者名または政党名を記載した印刷物６０１とメモリカード６０３で供給されるデータとの照合を行うために、印刷物６０１上にバーコード７０１を施した例であり、印刷物６０１のＩＤを電子投票装置６００のバーコードリーダ６０５に対応する位置に印刷している。
【００１７】
図８は、図７で示す印刷物６０１のＩＤバーコード７０１に対応した、メモリカード６０３で供給されるデータの構造を示す一例である。メモリカード６０３のデータテーブル内に、印刷物ＩＤデータ８０１を設けることによって確実な照合が可能となる。
【００１８】
第３の実施例として図９は、図１０で示す候補者名等ならびに座標のデータを記録した２次元バーコード１００１を読み取るための２次元バーコードリーダ９０３を電子投票装置９００に具備した例である。印刷物９０１の座標のデータは、印刷物９０１上に印刷された２次元バーコード１００１によって供給されるため、図１，８，１１で備えている印刷物の座標のデータに係る部分のメモリーカード、およびメモリーカードリーダは不要となる。
【００１９】
図１０は、候補者名または政党名を記載した印刷物９０１そのものに、前記候補者名または政党名、および前記候補者名または政党名の印刷物９０１上での座標データを光学的に読み取り可能な２次元バーコード１００１として記録した例である。印刷物９０１そのものに記録することによって、データの供給は一元化され、印刷物９０１１とデータの不一致などの障害を回避できる。また、データ供給に使用するメモリカードを不要とすることができる。
【００２０】
第４の実施例として図１１に、印刷物１１０１の交換機構を南京錠１１０５にて施錠できる構成を示す。電子投票装置１１００において、印刷物１１０１の交換を可能な構造にする場合、投票の運営において、印刷物１１０１の交換は管理権限を持つ者だけが行うことができるような構造である必要がある。交換機構は南京錠１１０５にて施錠できるるようにしている。これはメモリカード１１０３の交換についても同様であり、投票の開始時メモリカード１１０３を挿入した後、図示しない封印ラベルで封印してメモリカード１１０３の交換、あるいは回収については、管理権限を持つ者だけが行うことができるようする。
【００２１】
本各実施例では座標入力装置を印刷物の上部に配したが、印刷物の下側に配置してもよく、その場合、座標入力装置が透過型である必要はない。
【００２２】
本各実施例では候補者名等を選択する有意な領域を任意の矩形で定義しているが、あらかじめ指定された形で領域割付を行ってもよい。
【００２３】
本第１、第２及び第４の実施例ではメモリカードによってデータを供給しているが、フロッピー（登録商標）ディスク等の電磁気記録媒体、または光学記録媒体等の記録媒体を用いてもよい。また、投票所内のネットワークによる通信回線によって供給するようにしてもよい。
【００２４】
本第２、第３の実施例では、照合用のバーコードならびに、候補者名等のデータを供給するバーコードを、候補者名等の印字面と同一の面に印刷しているが、裏面に印刷する構成としてもよい。
【００２５】
本第２、第３の実施例では候補者名等のデータ供給及び照合用にバーコードを用いているが、穿孔、磁気テープの貼り付けまたは磁気材料の塗布、半導体メモリの貼り付け、導電性インクによる電気回路の構成等、他の電磁気的または光学的に読み取り可能な手段を用いてもよい。
【００２６】
【発明の効果】
以上詳述したように本発明によれば、電子投票装置において、候補者名の提示に印刷物を用いて候補者名を同一面上に表示することにより、候補者名の一覧性を確保して投票の公平性を保つ効果を奏する。且つ、大型の液晶パネル等の電子表示装置が不要となり、重量低減化、低消費電力化、低コスト化が可能となる。
【００２７】
また本発明によれば、電子投票装置を利用した選挙に際して必要な印刷物とそれに対応する座標のデータとの照合の仕組みが提供されるため、迅速、かつ確実な照合が可能となり、人為的ミス等による障害を未然に防ぐことができる。
【００２８】
さらに本発明によれば、電子投票装置を利用した選挙に際して必要な印刷物とそれに対応する座標のデータとが、同一の印刷物または印刷物に付帯した形態で提供されるため、データの供給は一元化され、印刷物とデータの不一致などの障害を回避でき、座標のデータ供給に用いる記録媒体を不要とすることができる。
【図面の簡単な説明】
【図１】本実施例に適用される電子投票装置を示す概略構造図である。
【図２】選挙の名称および複数の候補者名や政党名が記載された印刷物の一例を示した図である。
【図３】候補者名や政党名が印刷物上で占める座標の区分の一例を示した図である。
【図４】メモリカードに記憶される、印刷物上での座標のデータ構造の一例を示した図である。
【図５】液晶表示装置に表示する確認画面の一例を示した図である。
【図６】印刷物ＩＤを読み取るためのバーコードリーダを電子投票装置に具備した例を示す図である。
【図７】印刷物とメモリカードで供給されるデータの照合を行うために印刷物上に印刷物ＩＤをバーコードとして印刷した例を示す図である。
【図８】印刷物ＩＤに対応した、メモリカードのデータ構造の一例を示す図である。
【図９】印刷物ＩＤを読み取るための２次元バーコードリーダを電子投票装置に具備した例を示す図である。
【図１０】印刷物上での座標のデータを光学的に読み取るために、印刷物ＩＤを２次元バーコードとして印刷した例を示す図である。
【図１１】本発明の他の実施例に適用される電子投票装置を示す概略構造図である。
【符号の説明】
１００，６００，９００，１１００…電子投票装置
１０１，６０１，９０１，１１０１…印刷物
１０２，６０２，９０２，１１０２…タッチパネル
１０４，６０４，９０４，１１０４…液晶表示装置
１０３，６０３，１１０３…メモリカード
６０５…バーコードリーダ
７０１…バーコード
８０１…印刷物ＩＤデータ
９０３…２次元バーコードリーダ
１００１…２次元バーコード
１１０５…南京錠
【図１】
2004213225.tif 000003
【図２】
2004213225.tif 000004
【図３】
2004213225.tif 000005
【図４】
2004213225.tif 000006
【図５】
2004213225.tif 000007
【図６】
2004213225.tif 000008
【図７】
2004213225.tif 000009
【図８】
2004213225.tif 000010
【図９】
2004213225.tif 000011
【図１０】
2004213225.tif 000012
【図１１】
2004213225.tif 000013